(57)【要約】      （修正有）【課題】一本の剃刀で一般的剃刀の使い勝手の利点と安全剃刀の使い勝手の利点とを兼ね備える、剃刀を提供する。【解決手段】刃のみが直接皮膚にあたらないように刃を囲み皮膚をガ−ドする機能を持つガ−ド部２を剃刀本体部１の表裏面上に形成する。また、ガ−ド部２を剃刀本体部１に取り付けるにあたっては、ガ−ド部２と剃刀本体部１の間に可動接合部３を設け、調節ネジ５をしめたり、ゆるめたりすることにより刃を囲んでいるガ−ド部２を刃に向けて伸縮させることができる構造、すなわちガ−ド部２から見た、一般的剃刀の刃の出具合を微調整できる構造とする。さらに、可動接合部３は、その構造によりガ−ド部２が上にあがりきった時と、下にさがりきった時に、ガ−ド部２を固定する力を持ちながらも、上下への開閉ができるものである。【選択図】図３
2006130291.tif 000002
【特許請求の範囲】
【請求項１】
本発明は、髭剃りなどするとき、刃、のみが直接、皮膚にあたらないように刃を囲み皮膚をガ−ドする機能を持つ、ガ−ド部（２）を剃刀本体部（１）の表面、裏面、双方上に持つことを特徴とする。
【請求項２】
ガ−ド部（２）を剃刀本体部（１）に取り付けるにあたり、直接取り付けずに、ガ−ド部（２）と剃刀本体部（１）の間に可動接合部（３）という部品を取り付けることを特徴とする。そして、剃刀本体部（１）は可動接合部（３）を取り付けられる構造をもっていることを特徴とする。
【請求項３】
可動接合部（３）は、その構造によりガ−ド部（２）が、上にあがりきった時と、下にさがりきった時に、ガ−ド部（２）を固定する力を持ちながらも、上下への開閉ができるものである、ことを特徴とする。
【請求項４】
剃刀本体部（１）と可動接合部（３）は、調節ネジ（５）をしめたり、ゆるめたりすることにより刃を囲んでいるガ−ド部（２）を刃に向けて伸縮させることができる構造をもち、ガ−ド部（２）から見た、一般的剃刀の刃の出具合を微調整できることを特徴とする。
【発明の詳細な説明】
【技術分野】
【産業上の利用分野】
【０００１】  本発明は、理美容店等で使用する剃刀の構造形態にかんし、新しい構造形態の剃刀である。
【背景技術】
【０００２】  従来、理美容室などで、ひげなどを剃ろうとしたとき、刃のみが皮膚にあたる一般的剃刀、図１、２、は安全性が低いという問題点があり、当然、一般的剃刀としての使い勝手でしか使用できず。刃とガ−ドが皮膚にあたる安全剃刀は、一般的剃刀とは大きく形状が異なり、うぶ毛が剃りずらかったり、狭所が剃りずらかったり、操作性が悪かったりといった問題点があり、当然、安全剃刀としての使い勝手でしか使用できない、つまり、一回の顔剃りで併用したい場合、２本を用意したうえ、途中で持ち替えなければいけないといった問題点と経済性が悪いといった問題点もある。つまり、一本の剃刀で一般的剃刀の使い勝手と安全剃刀の使い勝手とを兼用するものが無かった。
【発明が解決しようとする課題】
【０００３】  ひげ剃りなどの際、難しい部位を剃る際などは、一般的剃刀、図１、２を安全剃刀に持ち替えて、剃らなければならないこともある、また、その逆の場合もあるが、その場合は、一般的剃刀と、安全剃刀の２本の剃刀が必要であるし、ひげ剃り途中に持ち替えなければならず、面倒である。また、一般的剃刀は狭所が剃りやすく、剃り味も良く、操作性も良かったりといった利点はあるが、安全性が低いという問題点がある。また、安全剃刀は安全性が高いという利点はあるが、一般的剃刀と比べると、狭所が剃りずらかったり、剃り味が悪かったり、操作性が悪かったり、経済性が悪い等の問題点が有る。本発明は、これらの問題点を解決することを課題とし、一本の剃刀で一般的剃刀の使い勝手の利点と安全剃刀の使い勝手の利点とを兼ね備える、剃刀を造ることを課題とする。
【課題を解決するための手段】
【０００４】  この、課題を解決するために、本発明は次のような手段をとる。髭剃りなどするとき、刃、のみが直接、皮膚にあたらないように刃を囲み皮膚をガードする機能を持つ、ガ−ド部（２）を剃刀本体部（１）の表面、裏面、双方上に持ち、ガ−ド部（２）を剃刀本体部（１）に取り付けるにあたっては、直接取り付けずに、ガ−ド部（２）と剃刀本体部（１）の間に可動接合部（３）という部品を取り付け、可動接合部（３）を取り付けられる構造になっている、剃刀本体部（１）に取り付ける。可動接合部（３）は、その構造によりガ−ド部（２）が、上にあがりきった時と、下にさがりきった時に、ガ−ド部（２）を固定する力を持ちながらも、上下への開閉ができるものである。剃刀本体部（１）と可動接合部（３）は図５のような構造をしており、調節ネジ（５）をしめたり、ゆるめたりすることにより刃を囲んでいるガ−ド部（２）を刃に向けて伸縮させることができる構造である。つまり、ガ−ド部（２）から見た、一般的剃刀の刃の出具合を微調整できるのである。
【発明の効果】
【０００５】  すなわち、ひげ剃りなどをする場合、状況に応じて、本発明品のガ−ド部（２）の上げ下ろし操作をするだけで、つまり、剃刀の刃部（４）を囲む状態にしたり、囲まない状態にしたりすることにより、一般的剃刀と安全剃刀を持ち替える手間がはぶけ、前記した、一般的剃刀の使い勝手の利点と安全剃刀の使い勝手の利点を一本の剃刀で兼ね備えることができ、しかも、本発明品をガ−ド部を下ろして使用た場合、固定式ガ−ドをもつ安全剃刀のうぶ毛が剃りずらいという問題点も、本発明品はガ−ド部（２）を伸縮させて、刃の出具合を調節できることにより解決し、経済性も向上させるものである。
【実施の形態】
【０００６】  本発明の実施の形態を図面により説明する。剃刀本体部（１）と剃刀本体部（１）に取り付けた、可動接合部（３）から剃刀本体部の表面、裏面、双方上に延在し、剃刀の刃部（４）の周りを囲むような形状をとるガ−ド部（２）、そして、剃刀本体部とガ−ド部との接合部である可動接合部（３）に大きく分けられる。
【０００７】  剃刀本体部（１）は従来の剃刀と同じような形態をしているが、大きく違うのは可動接合部（３）を取り付けられる構造を持つ点である。
【０００８】  ガ−ド部（２）はピアノ線、ステンレスバネ線などの、ねばりが有り、曲げることに対する反発性の強いもの、もしくは、他の素材のものとし、太さは０、８ミリ〜５、０ミリ位で図２のような形状をとる。
【０００９】  可動接合部（３）は図４のような形状をとり、上下へ開閉ができ、完全に下げた時と、完全に上げたときにはガ−ド部（２）を固定できるようになる。また、剃刀本体部（１）と可動接合部（３）は図５のような構造をとり、この構造により、刃を囲んだ状態のガ−ド部（２）を刃に向けて、調節ネジを絞めたり、ゆるめたりすることにより伸縮させることができる、これにより、ガ−ド部（２）から見た刃の出具合を微調整できる。
【図面の簡単な説明】
【図１】説明に出てくる一般的剃刀のあらましの形状
【図２】説明に出てくる一般的剃刀のあらましの形状
【図３】本発明にかかる全体の立体図
【図４】本発明の縦割り断面図
【図５】可動接合部の形状拡大図
【図６】剃刀本体部、可動接合部の内部構造拡大図
【符号の説明】
１        剃刀本体部
２        ガ−ド部
３        可動接合部
４        剃刀の刃部
５        調節ネジ
６        バネ板
【図１】
2006130291.tif 000003
【図２】
2006130291.tif 000004
【図３】
2006130291.tif 000005
【図４】
2006130291.tif 000006
【図５】
2006130291.tif 000007
【図６】
2006130291.tif 000008